(57)【要約】【課題】遊技機の廃棄時、合成木材で作られた外枠を粉砕して再利用しようとする場合に、遊技機の外枠と外枠角部に取り付けられた補強具を分別する手間を省き、リサイクルのコストを軽減することのできる補強具を提供する。【解決手段】遊技機の外枠１は合成木材で形成されており、外枠１の角部の外側には外側補強具４が、外枠１の角部の内側には内側補強具５がビス６によって取り付けられている。外側補強具４、内側補強具５、ビス６は合成樹脂を素材にして形成される。この合成樹脂は、合成木材に含まれる合成樹脂と同一であることが望ましい。上述の補強具４，５を取り付けた外枠１によれば、外枠１を粉砕して再利用しようとする場合には、外枠１に取り付けられた補強具４，５は、外枠１と一緒に粉砕して合成木材の原料として再利用することができ、補強具４，５を外枠１から取り外して合成木材と分別するといった手間を省くことができる。【選択図】図１
2004097396.tif 000002
【特許請求の範囲】
【請求項１】
合成木材からなる遊技機の外枠に取り付けられて、該外枠を補強する外枠用補強具であって、
当該補強具の素材が合成樹脂であることを特徴とする外枠用補強具。
【請求項２】
当該外枠用補強具を構成する合成樹脂は、前記外枠を構成する合成木材に含まれる合成樹脂と同一であることを特徴とする請求項１に記載の補強具。
【請求項３】
当該外枠用補強具を構成する合成樹脂は、ポリエチレンまたはポリプロピレンであることを特徴とする請求項１又は請求項２に記載の補強具。
【請求項４】
当該外枠用補強具は、前記外枠の角部の外側又は内側に装着できるよう、板をＬ字状に屈曲させた形状をしており、しかも、該Ｌ字の内側又は外側には、補強用のリブが複数立設されていることを特徴とする請求項１〜請求項３何れか記載の外枠用補強具。
【請求項５】
長尺状の枠材同士を端部で連結することにより枠形状に形成された遊技機の外枠であって、
前記枠材を合成木材にて構成し、各枠材の連結部分である角部に、請求項１〜請求項４何れか記載の補強具を設けて、当該外枠の角部を補強したことを特徴とする遊技機の外枠。
【発明の詳細な説明】
【０００１】
【発明の属する技術分野】
本発明は、パチンコ機等の遊技機の外枠を補強する外枠用補強具と、該外枠用補強具を取り付けた外枠に関する。
【０００２】
【従来の技術】
パチンコ機に代表される遊技機は、外殻となる外枠を備えており、その外枠を遊技店の遊技機設置島に固定することにより遊技店内に設置される。
従来、この外枠の材料として天然木材が用いられていたが、森林資源の保護等の観点から合成樹脂製の外枠が利用されるようになっている（例えば、特許文献１参照。）。
【０００３】
【特許文献１】
特開２００１−２５２４４２号広報
【０００４】
【発明が解決しようとする課題】
近年、天然木材・合成樹脂に代えて合成木材を外枠の材料として用いることが検討されている。合成木材は、木粉と合成樹脂の粉末とを混合したものを押し出し成形することで製造される。合成木材の原料となる木粉と合成樹脂は、廃材を利用することができ、かつ、成形した合成木材を廃棄する場合には、粉砕して合成木材の原料として再利用することができるため、リサイクルに好適である。
【０００５】
しかし、パチンコ機の廃棄時、合成木材で作られた外枠を粉砕して再利用しようとする場合には、外枠に取り付けられた金属製の補強具を取り外して合成木材と金属を分別する手間が必要であり、外枠のリサイクルにおいて分別に時間とコストを要するという課題があった。
【０００６】
本発明は、上記課題を解決するためになされたもので、合成木材で作られた外枠をリサイクルする際に、合成木材と補強具を分別する手間を省き、リサイクルにおける時間とコストを軽減することのできる補強具を提供することを目的とする。
【０００７】
【課題を解決するための手段および発明の効果】
上記課題を解決するため請求項１に記載の外枠用補強具は、
合成木材からなる遊技機の外枠に取り付けられて、該外枠を補強する外枠用補強具であって、当該補強具の素材が合成樹脂であることを特徴とする。
【０００８】
このように構成された外枠用補強具によれば、パチンコ機の廃棄時、合成木材で作られた外枠を粉砕して再利用しようとする場合には、外枠に取り付けられた補強具は、外枠と一緒に粉砕して合成木材の原料として再利用することができ、補強具を外枠から取り外して合成木材と分別するといった手間を省くことができる。
【０００９】
なお、本外枠用補強具においては、パチンコ機の廃棄時に合成木材で作られた外枠を粉砕して再利用しようとする場合、補強具は外枠と一緒に粉砕して合成木材の原料として再利用できるように構成されている。しかし、外枠用補強具の素材である合成樹脂が、外枠を構成する合成木材に含まれる合成樹脂と同一でない場合は、補強具と外枠とを一緒に粉砕して再利用する合成木材の原料の中に、元の合成木材に含まれていない合成樹脂が混入することになり、このようにして再利用する原料から作られた合成木材は強度等の性能が低下する可能性がある。
【００１０】
そこで、請求項２に記載のように、
当該外枠用補強具を構成する合成樹脂は、前記外枠を構成する合成木材に含まれる合成樹脂と同一である、ように構成すればよい。
このように構成された外枠用補強具によれば、パチンコ機の廃棄時に合成木材で作られた外枠を粉砕して再利用しようとする場合、再利用する合成木材の原料の中に、元の合成木材に含まれていない合成樹脂が混入することがない。このため、再利用する原料から作られた合成木材について強度等の性能の低下を抑えることができる。
【００１１】
なお、合成木材の原料の合成樹脂として、ポリプロピレンまたはポリエチレンが主に利用されている。
そこで、請求項３に記載のように、
当該外枠用補強具を構成する合成樹脂は、ポリエチレンまたはポリプロピレンである、ように構成すればよい。
【００１２】
このように構成された外枠用補強具によれば、外枠用補強具を構成する合成樹脂が、外枠を構成する合成木材に含まれる合成樹脂と同一であるか調べることをせずに外枠用補強具を外枠に取り付けたとしても、外枠用補強具を構成する合成樹脂が、外枠を構成する合成木材に含まれる合成樹脂と同一である可能性が高くなる。
【００１３】
また、合成樹脂は金属と比較して強度の点で劣っているため、金属製の外枠用補強具に代えて合成樹脂製の外枠用補強具を用いる場合には強度を高める工夫が必要になる。
そこで請求項４に記載の外枠用補強具のように、
前記外枠の角部の外側又は内側に装着できるよう、板をＬ字状に屈曲させた形状をしており、しかも、該Ｌ字の内側又は外側には、補強用のリブが複数立設されているように構成すればよい。
【００１４】
このように構成された外枠用補強具によれば、外枠の角部の外側と内側の両側に装着することにより、外枠の角部の強度を増すことができる。また外枠用補強具のＬ字の内側又は外側に補強用のリブを複数立設することで、外枠用補強具自体の強度を増すことができる。
【００１５】
また請求項５に記載の遊技機の外枠は、
枠材を合成木材にて構成し、各枠材の連結部分である角部に、請求項１〜請求項４何れか記載の補強具を設けて、当該外枠の角部を補強したことを特徴とする。
【００１６】
このように構成された遊技機の外枠によれば、パチンコ機の廃棄時、外枠を粉砕して再利用しようとする場合には、外枠に取り付けられた補強具は、外枠と一緒に粉砕して合成木材の原料として再利用することができ、補強具を外枠から取り外して合成木材と分別するといった手間を省くことができる。
【００１７】
【発明の実施の形態】
次に本発明の実施の形態について図１〜図３に基づいて説明する。
図１は本発明の実施の形態に係る遊技機の外枠を示す斜視図である。
外枠１は、上下に平行に配置される縦枠材２と、左右に平行に配置される横枠材３とをそれぞれの端部で接合することによって枠形状に形成されている。尚、縦枠材２、横枠材３は合成木材を素材に形成され、本発明における長尺状枠材に相当する。
【００１８】
そして、縦枠材２と横枠材３が接合されている角部の外側には、外側補強具４がビス６によって取り付けられている。さらに縦枠材２と横枠材３が接合されている角部の内側には、内側補強具５がビス６によって取り付けられている。尚、外側補強具４、内側補強具５は本発明における外枠用補強具である。
【００１９】
外側補強具４と内側補強具５は、縦枠材２、横枠材３の合成木材に含まれる合成樹脂と同一の合成樹脂を素材に、板をＬ字状に屈曲させた形状に形成されている。また、ビス６も外側補強具４、内側補強具５と同一の合成樹脂を素材に形成されている。
【００２０】
図２（ａ）は、本発明の実施の形態に係る外側補強具４について外枠１との接合面を上にして上から見た斜視図である。外側補強具４の外枠１との接合面側には、外側補強具４自身を補強し、かつ外枠に取り付ける際の位置合わせをするためのリブ７ａ，７ｂが立設されている。また外側補強具４のＬ字の端部にはビス止め用の取り付け孔９ａ，９ｂ，９ｃ，９ｄが形成されている。
【００２１】
図２（ｂ）は、外側補強具４の取り付け部を外枠１の外側から見た斜視図である。外枠１の角部の外側補強具４が取り付けられる範囲には、外側補強具４の厚さ分の凹みがある。これは、外側補強具４を外枠１に取り付けた際、外側補強具４が外枠１の外周からはみ出さないようにするためのものである。また外枠１の角部にはリブ７ａ，７ｂを嵌め込むための溝１０ａ，１０ｂとビス止め用の取り付け孔１１ａ，１１ｂ，１１ｃ，１１ｄが形成されている。なお、溝１０ａ，１０ｂの幅はリブ７ａ，７ｂの幅と略同じに形成されている。
【００２２】
外側補強具４の外枠１との接合面の反対側には、外側補強具４自身を補強するための複数の溝８が設けられている。また外側補強具４のＬ字の端部にはビス止め用の取り付け孔９ａ，９ｂ，９ｃ，９ｄが形成されている。
溝１０ａにリブ７ａを、溝１０ｂにリブ７ｂをそれぞれ嵌め込むことにより、外側補強具４のビス止め用の取り付け孔９ａ，９ｂ，９ｃ，９ｄの位置は、外枠１のビス止め用の取り付け孔１１ａ，１１ｂ，１１ｃ，１１ｄの位置にそれぞれ一致するように形成されている。そしてビス６を取り付け孔９ａ，９ｂ，９ｃ，９ｄを経て取り付け孔１１ａ，１１ｂ，１１ｃ，１１ｄそれぞれに通すことにより外枠１と外側補強具４が固定される。
【００２３】
図３（ａ）は、本発明の実施の形態に係る内側補強具５について外枠との接合面を上にした斜視図である。内側補強具５の外枠との接合面側には、内側補強具５自身を補強し、かつ外枠に取り付ける際の位置合わせをするためのリブ１２ａ，１２ｂが立設されている。また内側補強具５のＬ字の端部にはビス止め用の取り付け孔１４ａ，１４ｂ，１４ｃ，１４ｄが形成されている。
【００２４】
図３（ｂ）は、内側補強具５の取り付け部の斜視図である。外枠１の角部にはリブ１２ａ，１２ｂを嵌め込むための溝１５ａ，１５ｂとビス止め用の取り付け孔１６ａ，１６ｂ，１６ｃ，１６ｄが形成されている。なお、溝１５ａ，１５ｂの幅は、リブ１２ａ，１２ｂの幅と略同じに形成されている。
【００２５】
内側補強具５の外枠１の接合面の反対側には、内側補強具５自身を補強するためのリブ１３が設けられている。また内側補強具５のＬ字の端部にはビス止め用の取り付け孔１４ａ，１４ｂ，１４ｃ，１４ｄが形成されている。
溝１５ａにリブ１２ａを、溝１５ｂにリブ１２ｂをそれぞれ嵌め込むことにより、内側補強具５のビス止め用の取り付け孔１４ａ，１４ｂ，１４ｃ，１４ｄの位置は、外枠１のビス止め用の取り付け孔１６ａ，１６ｂ，１６ｃ，１６ｄの位置にそれぞれ一致するように形成されている。そしてビス６を取り付け孔１４ａ，１４ｂ，１４ｃ，１４ｄを経て取り付け孔１６ａ，１６ｂ，１６ｃ，１６ｄそれぞれに通すことにより外枠１と内側補強具４が固定される。
【００２６】
［効果］
このように構成された外側補強具４、内側補強具５によれば、パチンコ機の廃棄時、合成木材で作られた外枠１を粉砕して再利用しようとする場合には、外枠１に取り付けられた外側補強具４、内側補強具５は、外枠１と一緒に粉砕して合成木材の原料として再利用することができ、外側補強具４、内側補強具５を外枠１から取り外して合成木材と分別するといった手間を省くことができる。
【００２７】
また、外側補強具４、内側補強具５を構成する合成樹脂は、外枠１を構成する合成木材に含まれる合成樹脂と同一であるため、パチンコ機の廃棄時に合成木材で作られた外枠を粉砕して再利用しようとする場合、再利用する合成木材の原料の中に、元の合成木材に含まれていない合成樹脂が混入することがない。このため、再利用する原料から作られた合成木材について強度等の性能の低下を抑えることができる。
【００２８】
尚、合成木材の原料の合成樹脂としては、ポリプロピレンまたはポリエチレンが主に利用されているので、外側補強具４、内側補強具５、ビス６を構成する合成樹脂としてはポリプロピレンまたはポリエチレンであるように構成すればよい。
【００２９】
また、外側補強具４は外枠１の角部の外側に、内側補強具５は外枠１の角部の内側に取り付けることが出来るようになっており、外枠１の角部の外側と内側の両側に補強具を装着することにより、外枠１の角部の強度を増すことができる。
また、外側補強具４の外枠との接合面側にはリブ７ａ，７ｂが立設され、内側補強具５の外枠１との接合面側にはリブ１２ａ，１２ｂが立設され、外枠１との接合面と反対側にはリブ１３が複数立設されている。これにより、外側補強具４、内側補強具５自体の強度を増すことができる。
【００３０】
［変形例］
以上、本発明の実施形態について説明したが、本発明は上記の具体的な実施形態に限定されず、この他にも様々な形態で実施することができる。
例えば、上記実施形態においては、外側補強具４、内側補強具５、ビス６を構成する合成樹脂としては、外枠１の合成木材に含まれる合成樹脂と同一のであるものを例示した。
【００３１】
しかし、補強具と外枠とを一緒に粉砕して再利用する合成木材の原料の中に、元の合成木材に含まれていない合成樹脂が混入することによる強度等の性能の低下が許容範囲内であれば、外枠１の合成木材に含まれる合成樹脂と同一でなくてもよい。
【００３２】
また、上記実施形態においては、外側補強具４、内側補強具５、ビス６を構成する合成樹脂としては、ポリプロピレンまたはポリエチレンであるものを例示した。
しかし、補強具と、ポリプロピレンまたはポリエチレンを原料とする合成木材からなる外枠とを一緒に粉砕して再利用する合成木材の原料の中に、元の合成木材に含まれていない合成樹脂が混入することによる強度等の性能の低下が許容範囲内であれば、外側補強具４、内側補強具５、ビス６を構成する合成樹脂は、ポリプロピレンまたはポリエチレンでなくてもよい。
【００３３】
また、上記実施形態においては、外側補強具４、内側補強具５を補強するために、外側補強具４、内側補強具５にリブを設けたものを例示した。しかし、外側補強具４、内側補強具５のＬ字部分の厚さを、リブなしで十分な強度が得られる程度に厚くすることができれば、リブを設ける必要はない。
【００３４】
さらに、外側補強具４、内側補強具５の素材に、リブなしでも十分な強度が得られる合成樹脂を用いれば、リブを設ける必要はない。
また、上記実施形態においては、外枠１の角部に外側補強具４、内側補強具５を取り付けたものを例示した。しかし、枠材の接合部が角部以外にある場合は（例えば、２本の枠材を端部で接合して１本の枠材とする場合の接合部）、その接合部に外枠用補強具を取り付けてもよい。
【図面の簡単な説明】
【図１】実施形態における遊技機の外枠と補強具を示す斜視図
【図２】実施形態における外側補強具と外側補強具が取り付けられる外枠の角部を示す斜視図
【図３】実施形態における内側補強具と内側補強具が取り付けられる外枠の角部を示す斜視図
【符号の説明】
１…外枠、２…縦枠材、３…横枠材、４…外側補強具、５…内側補強具、６…ビス、７（７ａ，７ｂ）…リブ、８…溝、９（９ａ，９ｂ，９ｃ，９ｄ）…取り付け孔、１０（１０ａ，１０ｂ）…溝、１１（１１ａ，１１ｂ，１１ｃ，１１ｄ）…取り付け孔、１２（１２ａ，１２ｂ）…リブ、１３…リブ、１４（１４ａ，１４ｂ，１４ｃ，１４ｄ）…取り付け孔、１５（１５ａ，１５ｂ）…溝、１６（１６ａ，１６ｂ，１６ｃ，１６ｄ）…取り付け孔。
【図１】
2004097396.tif 000003
【図２】
2004097396.tif 000004
【図３】
2004097396.tif 000005